(57)【要約】  無線通信システムにおいて、信号を送受信する方法及びその装置に係り、該方法は、端末が支援することができる最大データ率を決定し、スケジューリング情報から決定された実際データ率と最大データ率とを比較し、該比較結果に基づき、スケジューリング情報によって信号を送信することができる。
2021523636.tif 000002
【特許請求の範囲】
【請求項１】
端末が信号を送受信する方法において、
基地局からＰＤＳＣＨ（physical downlink shared channel）を介して受信されるデータに係わるダウンリンク制御情報を受信する段階と、
前記ダウンリンク制御情報を基に、スロットに割り当てられたＴＢ（transport block）の個数を決定する段階と、
前記スロットに割り当てられたＴＢの個数を基に、前記端末のデータ率を決定する段階と、
前記端末の最大データ率及び前記決定されたデータ率の比較結果に基づき、前記データに係わるデコーディングいかんを決定する段階と、を含む、方法。
【請求項２】
前記デコーディングいかんを決定する段階は、
前記決定されたデータ率が、前記最大データ率以下である場合、前記端末のデータデコーディングが必要ではないと決定する、請求項１に記載の方法。
【請求項３】
前記データ率は、
前記端末のサービングセルそれぞれに対してオーバーラッピングされるスロットに割り当てられたＴＢ個数を基に決定される、請求項１に記載の方法。
【請求項４】
基地局が信号を送受信する方法において、
端末から受信されたケイパビリティ情報を基に、前記端末の最大データ率を決定する段階と、
前記端末のスロットに割り当てられるＴＢの個数を基に、前記端末のデータ率を決定する段階と、
前記最大データ率及び前記データ率の比較結果に基づき、ＰＤＳＣＨ上でデータを伝送する段階と、を含み、
前記端末の前記データに係わるデコーディングいかんは、前記最大データ率及び前記データ率の比較結果を基に決定される、方法。
【請求項５】
前記デコーディング必要いかんは、
前記決定されたデータ率が前記最大データ率以下である場合、前記端末のデータデコーディングが必要ではないと決定される、請求項４に記載の方法。
【請求項６】
前記データ率は、
前記端末のサービングセルそれぞれに対してオーバーラッピングされるスロットに割り当てられたＴＢ個数を基に決定される、請求項４に記載の方法。
【請求項７】
前記端末のデータ率を決定する段階は、
あらかじめ保存されたＴＢサイズ別に、データ率に係わる情報を基に、特定ＴＢサイズに対応するデータ率を決定する段階を含む、請求項４に記載の方法。
【請求項８】
信号を送受信する端末において、
送受信部と、
少なくとも１つのプロセッサと、を含み、
前記少なくとも１つのプロセッサは、
基地局からＰＤＳＣＨ（physical downlink shared channel）を介して受信されるデータに係わるダウンリンク制御情報を受信するように前記送受信部を制御し、
前記ダウンリンク制御情報を基に、スロットに割り当てられたＴＢ（transport block）の個数を決定し、
前記スロットに割り当てられたＴＢの個数を基に、前記端末のデータ率を決定し、
前記端末の最大データ率及び前記決定されたデータ率の比較結果に基づき、前記データに係わるデコーディングいかんを決定する、端末。
【請求項９】
前記少なくとも１つのプロセッサは、
前記決定されたデータ率が前記最大データ率以下である場合、前記端末のデータデコーディングが必要ではないと決定する、請求項８に記載の端末。
【請求項１０】
前記データ率は、
前記端末のサービングセルそれぞれに対してオーバーラッピングされるスロットに割り当てられたＴＢ個数を基に決定される、請求項８に記載の端末。
【請求項１１】
信号を送受信する基地局において、
送受信部と、
少なくとも１つのプロセッサと、を含み、
前記少なくとも１つのプロセッサは、
端末から受信されたケイパビリティ情報を基に、前記端末の最大データ率を決定し、
前記端末のスロットに割り当てられるＴＢの個数を基に、前記端末のデータ率を決定し、
前記最大データ率及び前記データ率の比較結果に基づき、ＰＤＳＣＨ（physical downlink shared channel）上でデータを伝送するように前記送受信部を制御し、
前記端末の前記データに係わるデコーディングいかんは、前記最大データ率及び前記データ率の比較結果を基に決定される、基地局。
【請求項１２】
前記デコーディング必要いかんは、
前記決定されたデータ率が前記最大データ率以下である場合、前記端末のデータデコーディングが必要ではないと決定される、請求項１１に記載の基地局。
【請求項１３】
前記データ率は、
前記端末のサービングセルそれぞれに対してオーバーラッピングされるスロットに割り当てられたＴＢ個数を基に決定される、請求項１１に記載の基地局。
【請求項１４】
前記少なくとも１つのプロセッサは、
あらかじめ保存されたＴＢ（transport block）サイズ別に、データ率に係わる情報を基に、特定ＴＢサイズに対応するデータ率を決定する、請求項１１に記載の基地局。
【請求項１５】
請求項１に記載の方法を遂行するコンピュータプログラムを記録したコンピュータで読み取り可能な記録媒体。
【発明の詳細な説明】
【技術分野】
【０００１】
本発明は、無線通信システムに係り、さらに具体的には、端末が処理することができるデータ量またはデータ率により、信号を送受信する方法及びその装置に関する。
【背景技術】
【０００２】
４Ｇ通信システム商用化以後、増加の勢いにある無線データトラフィック需要を充足させるために、改善された５Ｇ通信システムまたはｐｒｅ−５Ｇ通信システムを開発するための努力がなされている。そのような理由で、５Ｇ通信システムまたはｐｒｅ−５Ｇ通信システムは、４Ｇネットワーク以後（beyond ４Ｇ network）通信システムまたはＬＴＥシステム以後（post ＬＴＥ）以後のシステムと呼ばれている。高いデータ伝送率を達成するために、５Ｇ通信システムは、超高周波（ｍｍWave）帯域（例えば、６０ギガ（６０ＧＨｚ）帯域のようなところ）での具現が考慮されている。超高周波帯域での電波の経路損失緩和、及び電波の伝達距離を増大させるために、５Ｇ通信システムにおいては、ビームフォーミング（beam forming）、巨大配列多重入出力（massive ＭＩＭＯ）、全次元多重入出力（ＦＤ−ＭＩＭＯ：full dimensional）、アレイアンテナ（array antenna）、アナログビーム形成（analog beam−forming）及び大規模アンテナ（large scale antenna）の技術が論議されている。また、システムのネットワーク改善のために、５Ｇ通信システムにおいては、進化された小型セル、改善された小型セル（advanced small cell）、クラウド無線アクセスネットワーク（cloud ＲＡＮ：cloud radio access network）、超高密度ネットワーク（ultra−dense network）、機器間通信（Ｄ２Ｄ：device to device communication：Ｄ２Ｄ）、無線バックホール（wireless backhaul）、移動ネットワーク（moving network）、協力通信（cooperative communication）、ＣｏＭＰ（coordinated multi−points）及び受信干渉除去（interference cancellation）のような技術開発がなされている。それ以外にも、５Ｇシステムにおいては、進歩されたコーディング変調（ＡＣＭ：advanced coding modulation：ＡＣＭ）方式であるＦＱＡＭ（hybrid ＦＳＫ and ＱＡＭ modulation）及びＳＷＳＣ（sliding window superposition coding）や、進歩された接続技術であるＦＢＭＣ（filter bank multi carrier）、ＮＯＭＡ（non orthogonal multiple access）及びＳＣＭＡ（sparse code multiple access）などが開発されている。
【０００３】
一方、インターネットは、人間が情報を生成して消費する人間中心の連結網において、事物のような分散された構成要素間において情報をやり取りして処理する事物インターネット（ＩｏＴ：Internet of Things）網で進化している。クラウドサーバなどとの連結を通じるビックデータ（big data）処理技術などが、ＩｏＴ技術に結合されたＩｏＥ（internet of everything）技術も立ち上げられている。ＩｏＴを具現するために、センシング技術、有無線通信、並びにネットワークインフラ、サービスインターフェース技術及び保安技術のような技術要素が要求され、最近では、事物間の連結のためのセンサネットワーク（sensor network）、事物通信（Ｍ２Ｍ：machine to machine）、ＭＴＣ（machine type communication）のような技術が研究されている。ＩｏＴ環境においては、連結された事物で生成されたデータを収集、分析し、人間の生に新たな価値を創出する知能型ＩＴ（internet technology）サービスが提供されうる。ＩｏＴは、既存のＩＴ（Information technology）技術と、多様な産業との融合及び複合を介し、スマートホーム、スマートビルディング、スマートシティ、スマートカーまたはコネクティッドカー、スマートグリッド、ヘルスケア、スマート家電、先端医療サービスのような分野にも応用される。
【０００４】
そのために、５Ｇ通信システムをＩｏＴ網に適用するための多様な試みがなされている。例えば、センサネットワーク、事物通信（Ｍ２Ｍ）、ＭＴＣのような技術が、５Ｇ通信技術であるビームフォーミング、ＭＩＭＯ及びアレイアンテナなどの技法によって具現されているのである。前述のビックデータ処理技術として、クラウド無線アクセスネットワーク（cloud ＲＡＮ）が適用されることも、５Ｇ技術とＩｏＴ技術との融合一例と言えるであろう。
【０００５】
前述のように、無線通信システムの発展により、多様なサービスを提供することができることになり、そのようなサービスを円滑に提供するための方案が要求されている。
【発明の概要】
【発明が解決しようとする課題】
【０００６】
本開示は、端末が実際支援することができるデータ率と、データ伝送に使用される資源に係わる情報を基に決定されたデータ率との差が発生する場合を最小化させることができる信号送受信方法を提供するものである。
【課題を解決するための手段】
【０００７】
本開示は、無線通信システムにおいて、信号を送受信する方法及びその装置に係わるものである。本開示の一実施形態による方法は、端末が支援することができる最大データ率を決定し、スケジューリング情報から決定された実際データ率と最大データ率とを比較し、該比較結果に基づき、スケジューリング情報によって信号を送信することができる。
【発明の効果】
【０００８】
本開示は、ＮＲシステムにおいて、端末が支援するデータ率と、スケジューリング可能な伝送ブロックの大きさとがマッチングしない場合を最小化させることができる。また、本開示は、端末が支援するデータ率より大きい値に該当する大きさの伝送ブロックをスケジューリングされたときの端末動作方法を提供することができる。
【図面の簡単な説明】
【０００９】
【図１】ＮＲシステムの下向きリンクまたは上向きリンクにおいて、前記データまたは制御チャンネルが伝送される無線資源領域である時間・周波数領域の基本構造を示した図面である。
【図２】５ＧシステムまたはＮＲシステムにおいて考慮されるサービスであるｅＭＢＢ用、ＵＲＬＬＣ用、ｍＭＴＣ用のデータが、周波数・時間資源で割り当てられた様子について説明するための図面である。
【図３】５ＧシステムまたはＮＲシステムにおいて考慮されるサービスであるｅＭＢＢ用、ＵＲＬＬＣ用、ｍＭＴＣ用のデータが、周波数・時間資源で割り当てられた様子について説明するための図面である。
【図４】一実施形態による、１つのトランスポートブロックがいくつかのコードブロックに分けられ、ＣＲＣが追加される過程について説明するための図面である。
【図５】一実施形態により、アウターコードが使われて送信される方式について説明するための図面である。
【図６】一実施形態により、アウターコードが使用された通信システムの構造について説明するためのブロック図である。
【図７】一実施形態により、１つのトランスポートブロックから分割されたいくつかのコードブロックに、第２チャンネルコードまたはアウターコードを適用し、１以上のパリティコードブロックを生成する方法について説明するための図面である。
【図８】一実施形態による、端末のＰＤＳＣＨデコーディング及びＰＵＳＣＨ伝送いかんを判断する方法について説明するためのフローチャートである。
【図９】一実施形態による端末のブロック図である。
【図１０】一実施形態による基地局のブロック図である。
【図１１】端末に上位シグナリングに設定されたキャリアにおいて、特定時点における実際平均データ伝送率を計算するために、特定時点を含むスロットを決定する一例を図示した図面である。
【発明を実施するための形態】
【００１０】
一実施形態による、端末が信号を送受信する方法は、基地局からＰＤＳＣＨ（physical downlink shared channel）を介して受信されるデータに係わるダウンリンク制御情報を受信する段階と、ダウンリンク制御情報を基に、スロットに割り当てられたＴＢ（transport block）の個数を決定する段階と、スロットに割り当てられたＴＢの個数を基に、端末のデータ率を決定する段階と、端末の最大データ率、及び決定されたデータ率の比較結果に基づき、データに対するデコーディングいかんを決定する段階と、を含んでもよい。
【００１１】
一実施形態による、端末が信号を送受信する方法において、デコーディングいかんを決定する段階は、決定されたデータ率が最大データ率以下である場合、端末のデータデコーディングが必要ではないと決定することができる。
【００１２】
一実施形態による、端末が信号を送受信する方法において、データ率は、端末のサービングセルそれぞれに対して、オーバーラッピングされるスロットに割り当てられたＴＢ個数を基にも決定される。
【００１３】
一実施形態による、基地局が信号を送受信する方法は、端末から受信されたケイパビリティ情報を基に、端末の最大データ率を決定する段階と、端末のスロットに割り当てられるＴＢの個数を基に、端末のデータ率を決定する段階と、最大データ率及びデータ率の比較結果に基づき、ＰＤＳＣＨ上でデータを伝送する段階と、を含み、端末のデータに対するデコーディングいかんは、最大データ率及びデータ率の比較結果を基にも決定される。
【００１４】
一実施形態による、基地局が信号を送受信する方法において、デコーディング必要いかんは、決定されたデータ率が最大データ率以下である場合、端末のデータデコーディングが必要ではないとも決定される。
【００１５】
一実施形態による、基地局が信号を送受信する方法において、データ率は、端末のサービングセルそれぞれに対してオーバーラッピングされるスロットに割り当てられたＴＢ個数を基にも決定される。
【００１６】
一実施形態による、基地局が信号を送受信する方法において、端末のデータ率を決定する段階は、あらかじめ保存されたＴＢサイズ別に、データ率に係わる情報を基に、特定ＴＢサイズに対応するデータ率を決定する段階を含んでもよい。
【００１７】
一実施形態による、信号を送受信する端末は、送受信部と、少なくとも１つのプロセッサと、を含み、該少なくとも１つのプロセッサは、基地局からＰＤＳＣＨを介して受信されるデータに係わるダウンリンク制御情報を受信するように送受信部を制御し、ダウンリンク制御情報を基に、スロットに割り当てられたＴＢの個数を決定し、スロットに割り当てられたＴＢの個数を基に、端末のデータ率を決定し、端末の最大データ率、及び決定されたデータ率の比較結果に基づき、データに対するデコーディングいかんを決定することができる。
【００１８】
一実施形態による、信号を送受信する基地局は、送受信部と、少なくとも１つのプロセッサと、を含み、少なくとも１つのプロセッサは、端末から受信されたケイパビリティ情報を基に、端末の最大データ率を決定し、端末のスロットに割り当てられるＴＢの個数を基に、端末のデータ率を決定し、最大データ率及びデータ率の比較結果に基づき、ＰＤＳＣＨ上でデータを伝送するように送受信部を制御し、端末のデータに対するデコーディングいかんは、最大データ率及びデータ率の比較結果を基にも決定される。
【００１９】
４Ｇ通信システム商用化以後、増加の勢いにある無線データトラフィック需要を充足するために、改善された５Ｇ通信システムまたはｐｒｅ−５Ｇ通信システムを開発するための努力がなされている。そのような理由で、５Ｇ通信システムまたはｐｒｅ−５Ｇ通信システムは、４Ｇネットワーク以後（beyond ４Ｇ network）通信システムまたはＬＴＥシステム以後（post ＬＴＥ）以後のシステムと呼ばれている。３ＧＰＰにおいて定められた５Ｇ通信システムは、ＮＲ（new radio）システムと呼ばれている。高データ伝送率を達成するために、５Ｇ通信システムは、超高周波（ｍｍＷａｖｅ）帯域（例えば、６０ギガ（６０ＧＨｚ）帯域のようなもの）における具現が考慮されている。超高周波帯域における電波の経路損失緩和、及び電波の伝達距離を増大させるために、５Ｇ通信システムにおいては、ビームフォーミング（beam forming）、巨大配列多重入出力（massive ＭＩＭＯ）、全次元多重入出力（ＦＤ−ＭＩＭＯ：full dimensional ＭＩＭＯ）、アレイアンテナ（array antenna）、アナログビーム形成（analog beam−forming）及び大規模アンテナ（large scale antenna）の技術が論議され、ＮＲシステムに適用された。また、システムのネットワーク改善のために、５Ｇ通信システムにおいては、進化された小型セル、改善された小型セル（advanced small cell）、クラウド無線アクセスネットワーク（cloud ＲＡＮ：cloud radio access network）、超高密度ネットワーク（ultra−dense network）、機器間通信（Ｄ２Ｄ：device to device communication）、無線バックホール（wireless backhaul）、移動ネットワーク（moving network）、協力通信（cooperative communication）、ＣｏＭＰ（coordinated multi−points）及び受信干渉除去（interference cancellation）のような技術開発がなされている。それ以外にも、５Ｇシステムにおいては、進歩されたコーディング変調（ＡＣＭ：advanced coding modul
ation）方式であるＦＱＡＭ（hybrid ＦＳＫ and ＱＡＭ modulation）及びＳＷＳＣ（sliding window superposition coding）や、進歩された接続技術であるＦＢＭＣ（filter bank multi carrier）、ＮＯＭＡ（non-orthogonal multiple access）及びＳＣＭＡ（sparse code multiple access）などが開発されている。
【００２０】
一方、インターネットは、人間が情報を生成して消費する人間中心の連結網において、事物のような分散された構成要素間で情報をやり取りして処理する事物インターネット（ＩｏＴ：Internet of Things）網に進化している。クラウドサーバなどとの連結を介するビックデータ（big data）処理技術などがＩｏＴ技術に結合されたＩｏＥ（internet of everything）技術も立ち上げられている。ＩｏＴを具現するために、センシング技術、有無線通信、並びにネットワークインフラ、サービスインターフェース技術及び保安技術のような技術要素が要求され、最近では、事物間の連結のためのセンサネットワーク（sensor network）、事物通信（Ｍ２Ｍ：machine to machine）、ＭＴＣ（machine type communication）などの技術が研究されている。ＩｏＴ環境においては、連結された事物で生成されたデータを収集、分析し、人間の生に新たな価値を創出する知能型ＩＴ（internet technology）サービスが提供されうる。ＩｏＴは、既存のＩＴ（Information technology）技術と、多様な産業との融合及び複合を介し、スマートホーム、スマートビルディング、スマートシティ、スマートカーまたはコネクティッドカー、スマートグリッド、ヘルスケア、スマート家電、先端医療サービスのような分野にも応用される。
【００２１】
そのために、５Ｇ通信システムをＩｏＴ網に適用するための多様な試みがなされている。例えば、センサネットワーク（sensor network）、事物通信（Ｍ２Ｍ）、ＭＴＣ（machine type communication）のような５Ｇ通信が、ビームフォーミング、ＭＩＭＯ、及びアレイアンテナなどの技法によって具現されているのである。前述のビックデータ処理技術として、クラウド無線アクセスネットワーク（cloud ＲＡＮ）が適用されることも、５Ｇ技術とＩｏＴ技術との融合一例と言えるであろう。
【００２２】
一方、新たな５Ｇ通信であるＮＲ（new radio access technology）においては、時間及び周波数の資源において、多様なサービスが自由に多重化されうるようにするためにデザインされており、それにより、waveform／numerologyなどや基準信号などが、当該サービスの必要により、動的にまたは自由に割り当てられうる。無線通信において、端末に最適サービスを提供するためには、チャネルの質と、干渉量測定とを介する最適化されたデータ送信が重要であり、それにより、正確なチャネル状態測定が必須である。しかし、周波数資源により、チャネル及び干渉特性が大きく変化しない４Ｇ通信とは異なり、５Ｇチャネルの場合、サービスにより、チャネル及び干渉特性が大きく変化するために、それを分けて測定させるＦＲＧ（frequency resource group）次元のsubset支援が必要である。一方、ＮＲシステムにおいては、支援されるサービスの種類を、ｅＭＢＢ（enhanced mobile broadband）、ｍＭＴＣ（massive machine type communications）、ＵＲＬＬＣ（ultra-reliable and low-latency communications）などのカテゴリーに分けることができる。ｅＭＢＢは、高容量データの高速伝送、ｍＭＴＣは、端末電力最小化、及び多数端末の接続、ＵＲＬＬＣは、高信頼度と低遅延とを目標にするサービスと見ることができる。端末に適用されるサービスの種類により、互いに異なる要求事項が適用されうる。
【００２３】
一方、最近次世代通信システムに対する研究が進められるにつれ、端末との通信をスケジューリングするさまざまな方案が論議されている。それにより、次世代通信システムの特性を考慮した効率的なスケジューリング及びデータ送受信方案が要求される実情である。
【００２４】
そのように、通信システムにおいて、複数のサービスがユーザに提供され、そのような複数のサービスをユーザに提供するために、特徴に合うように、各サービスを同一時区間内で提供することができる方法、及びそれを利用した装置が要求されうる。
【００２５】
以下、本開示の実施形態について、添付図面を参照して詳細に説明する。
【００２６】
本実施形態についての説明において、本開示が属する技術分野に周知された折、本開示と直接に関連がない記述内容については、説明を省略する。それは、不要な説明を省略することにより、本開示の要旨を曖昧にすることなく、さらに明確に伝達させるためである。
【００２７】
同じ理由により、添付図面において、一部構成要素は、誇張されたり省略されたりして概略的に図示された。また、各構成要素の大きさは、実際さいずを全面的に反映させるものではない。各図面において、同一であるか、あるいは対応する構成要素には、同一参照番号を付した。
【００２８】
本開示の利点、特徴、及びそれらを達成する方法は、添付される図面と共に詳細に後述されている実施形態を参照すれば、明確になるであろう。しかし、本開示は、以下で開示される実施形態に限定されるものではなく、互いに異なる多様な形態にも具現され、ただし、本実施形態は、本開示を完全なものにし、本開示が属する技術分野で当業者に、発明の範疇を完全に知らせるために提供されるものであり、本開示は、請求項の範疇によって定義されるのみである。明細書全体にわたり、同一参照符号は、同一構成要素を指す。
【００２９】
ここで、処理フローチャートの各ブロックと、フローチャートのそれらの組み合わせは、コンピュータプログラムインストラクションによって遂行されるものであるということを理解することができるであろう。それらコンピュータプログラムインストラクションは、汎用コンピュータ、特殊用コンピュータ、またはその他プログラム可能なデータプロセシング装備のプロセッサにも搭載されるので、コンピュータ、またはその他プログラム可能なデータプロセシング装備のプロセッサを介して遂行されるそのインストラクションが、フローチャートブロックで説明された機能を遂行する手段を生成することになる。それらコンピュータプログラムインストラクションは、特定方式で機能を具現するために、コンピュータ、またはその他プログラム可能なデータプロセシング装備を志向することができるコンピュータ利用可能メモリ、またはコンピュータ可読メモリにも保存されるので、そのコンピュータ利用可能メモリ、またはコンピュータ可読メモリに保存されたインストラクションは、フローチャートブロックで説明された機能を遂行するインストラクション手段を内包する製造品目を生産することも可能である。該コンピュータプログラムインストラクションは、コンピュータ上、またはその他プログラム可能なデータプロセシング装備上に搭載されることも可能であるので、コンピュータ上、またはその他プログラム可能なデータプロセシング装備上において、一連の動作段階が遂行され、コンピュータで実行されるプロセスを生成し、コンピュータ、またはその他プログラム可能なデータプロセシング装備を遂行するインストラクションは、フローチャートブロックで説明された機能を遂行するための段階を提供することも可能である。
【００３０】
また、各ブロックは、特定された論理的機能を遂行するための１以上の実行可能なインストラクションを含むモジュール、セグメントまたはコードの一部を示すことができる。また、いくつかの代替実行形態においては、ブロックで言及された機能が、順序を外れて発生することも可能であるということに注目しなければならない。例えば、続けて図示されている２つのブロックは、実は、実質的に同時に遂行されることも可能であり、あるいはそのブロックが折々該当する機能により、逆順に遂行されることも可能である。
【００３１】
ここで、本実施形態で使用される「〜部」という用語は、ソフトウェア構成要素、あるいはＦＰＧＡまたはＡＳＩＣのようなハードウェア構成要素を意味し、「〜部」は、ある役割を遂行する。しかしながら、「〜部」は、ソフトウェアまたはハードウェアに限定される意味ではない。「〜部」は、アドレシングすることができる記録媒体にあるようにも構成されるが、１またはその以上のプロセッサを再生させるようにも構成される。従って、一例として、「〜部」は、ソフトウェア構成要素、客体志向ソフトウェア構成要素、クラス構成要素及びタスク構成要素のような構成要素、並びにプロセス、関数、属性、プロシージャ、サブルーチン、プログラムコードのセグメント、ドライバ、ファームウェア、マイクロコード、回路、データ、データベース、データ構造、テーブル、アレイ及び変数を含む。該構成要素内及び該「〜部」内で提供される機能は、さらに少数の構成要素及び「〜部」に結合されるか、あるいは追加される、構成要素及び「〜部」にさらに分離されうる。それだけでなく、構成要素及び「〜部」は、デバイスまたは保安マルチメディアカード内の、１またはそれ以上のＣＰＵを再生させるようにも具現される。また、本実施形態において「〜部」は、１以上のプロセッサを含んでもよい。
【００３２】
無線通信システムは、初期の音声主体のサービスを提供したところから脱し、例えば、３ＧＰＰのＨＳＰＡ（high speed packet access）、ＬＴＥ（long term evolution）またはＥ−ＵＴＲＡ（evolved universal terrestrial radio access）、ＬＴＥ−Ａ（ＬＴＥ−Advanced）、３ＧＰＰ２のＨＲＰＤ、ＵＭＢ（ultra mobile broadband）及びＩＥＥＥの８０２．１６ｅのような通信標準と共に、高速、高品質のパケットデータサービスを提供する広帯域無線通信システムに発展している。また、５世代無線通信システムにおいて、５ＧまたはＮＲの通信標準が作られている。
【００３３】
広帯域無線通信システムの代表的な例として、ＮＲシステムにおいては、下向きリンク（ＤＬ：downlink）及び上向きリンク（ＵＬ：uplink）においては、ＯＦＤＭ（orthogonal frequency division multiplexing）方式を採用している。さらに具体的には、下向きリンクにおいては、ＣＰ−ＯＦＤＭ（cyclic−prefix ＯＦＤＭ）方式が採用され、上向きリンクにおいては、ＣＰ−ＯＦＤＭと共に、ＤＦＴ−Ｓ−ＯＦＤＭ（discrete Fourier transform spreading ＯＦＤＭ）方式の二つが採用された。上向きリンクは、端末（（ＵＥ：user equipment）またはＭＳ（mobile station））が、基地局（ｇNode ＢまたはＢＳ（base station））に、データまたは制御信号を伝送する無線リンクを意味し、下向きリンクは、基地局が端末に、データまたは制御信号を伝送する無線リンクを意味する。そのような多重接続方式は、一般的に、各ユーザ別に、データまたは制御情報を載せて送る時間・周波数資源を、互いに重ならないように、すなわち、直交性（orthogonality）がなされるように、割り当てて運用することにより、各ユーザのデータまたは制御情報を区分することができる。
【００３４】
ＮＲシステムは、初期伝送において、復号失敗が発生した場合、物理階層において、当該データを再伝送するＨＡＲＱ（hybrid automatic repeat request）方式を採用している。ＨＡＲＱ方式は、受信機がデータを正確に復号（デコーディング）することができない場合、受信機が送信機にデコーディング失敗を知らせる情報（ＮＡＣＫ：negative acknowledgement）を伝送し、送信機が物理階層において、当該データを再伝送することができるようにする。受信機は、送信機が再伝送したデータを、以前にデコーディング失敗したデータと結合し、データ受信性能を高めることができる。また、受信機がデータを正確に復号した場合、送信機にデコーディング成功を知らせる情報（ＡＣＫ：acknowledgement）を伝送し、送信機が新たなデータを伝送することができるようにする。
【００３５】
図１は、ＮＲシステムの下向きリンクまたは上向きリンクにおいて、前記データまたは前記制御チャネルが伝送される無線資源領域である時間・周波数領域の基本構造を示した図面である。
【００３６】
図１において、横軸は、時間領域を示し、縦軸は、周波数領域を示す。時間領域における最小伝送単位は、ＯＦＤＭシンボルであり、Ｎｓｙｍｂ個のＯＦＤＭシンボル１−０２が集まり、１つのスロット１−０６を構成することができる。サブフレームの長さは、１．０ｍｓと定義され、ラジオフレーム１−１４は、１０ｍｓにも定義される。周波数領域における最小伝送単位は、サブキャリアであり、全体システム伝送帯域（transmission bandwidth）の帯域幅は、全てで
【数１】
2021523636.tif 000003
または
【数２】
2021523636.tif 000004
個のサブキャリア１−０４によっても構成される。
【００３７】
時間・周波数領域において、資源の基本単位は、リソースエレメント（ＲＥ：resource element）１−１２）であり、ＯＦＤＭシンボルインデックス及びサブキャリアインデックスで示すことができる。リソースブロック（ＲＢ：resource blockまたはＰＲＢ：physical resource block）は、時間領域において、Ｎｓｙｍｂ個の連続されたＯＦＤＭシンボル１−０２と、周波数領域においてＮＲＢ個の連続されたサブキャリア１−１０ともｍ定義される。従って、１つのＲＢ １−０８は、ＮｓｙｍｂｘＮＲＢ個のＲＥによっても構成される。一般的に、データの最小伝送単位は、ＲＢ単位である。ＮＲシステムにおいて、一般的に、Ｎｓｙｍｂ＝１４、ＮＲＢ＝１２であり、
【数３】
2021523636.tif 000005
【数４】
2021523636.tif 000006
及びＮＲＢは、システム伝送帯域の帯域幅に比例する。また、端末にスケジューリングされるＲＢ個数に比例し、データレートが上昇しうる。
【００３８】
ＮＲシステムにおいて、下向きリンクと上向きリンクとを周波数で区分して運用するＦＤＤシステムの場合、下向きリンク伝送帯域幅と上向きリンク伝送帯域幅とが互いに異なりうる。チャネル帯域幅は、システム伝送帯域幅に対応するＲＦ帯域幅を示す。表１は、ＮＲシステム以前、４世代無線通信であるＬＴＥシステムに定義されたシステム伝送帯域幅と、チャネル帯域幅（channel bandwidth）との対応関係を示す。例えば、１０ＭＨｚチャネル帯域幅を有するＬＴＥシステムは、伝送帯域幅（transmission bandwidth）が５０個のＲＢによっても構成される。
【００３９】
【表１】
2021523636.tif 000007
【００４０】
ＮＲシステムは、［表１］で提示されたＬＴＥのチャネル帯域幅よりさらに広いチャネル帯域幅で動作することができる。
【００４１】
ＮＲシステムにおいて、下向きリンクデータまたは上向きリンクデータに係わるスケジューリング情報は、下向きリンク制御情報（ＤＣＩ：downlink control information）を介し、基地局から端末に伝達されうる。ＤＣＩは、さまざまなフォーマットによって定義され、各フォーマットは、上向きリンクデータに係わるスケジューリング情報（ＵＬ grant）であるか、あるいは下向きリンクデータに係わるスケジューリング情報（ＤＬ grant）であるかということ、制御情報の大きさが小さいコンパクトＤＣＩであるか否かということ、多重アンテナを使用した空間多重化（spatial multiplexing）を適用するか否かということ、電力制御用ＤＣＩであるか否かということなどを示すことができる。例えば、下向きリンクデータに係わるスケジューリング制御情報（ＤＬ grant）であるＤＣＩ format １−１は、少なくとも次のような制御情報のうち一つを含んでもよい。
【００４２】
−キャリア指示子：どの周波数キャリアにおいて伝送されるかということを指示する。
【００４３】
−ＤＣＩフォーマット指示子：当該ＤＣＩが下向きリンク用であるか、または上向きリンク用であるかということを区分する指示子である。
【００４４】
−バンドウィズパート（ＢＷＰ：bandwidth part）指示子：どのＢＷＰにおいて伝送されるかということを指示する。
【００４５】
−周波数領域資源割り当て：データ伝送に割り当てられた周波数領域のＲＢを指示する。システム帯域幅及びリソース割り当て方式により、表現するリソースが決定される。
【００４６】
−時間領域資源割り当て：どのスロットのどのＯＦＤＭシンボルでデータ関連チャネルが伝送されるかということを指示する。
【００４７】
−ＶＲＢ−ｔｏ−ＰＲＢマッピング：仮想ＲＢ（ＶＲＢ：virtual ＲＢ）インデックスと物理ＲＢ（ＰＲＢ：physical ＲＢ）インデックスとをいかなる方式でマッピングするということを指示する。
【００４８】
−変調及びコーディング方式（ＭＣＳ：modulation and coding scheme）：データ伝送に使用された変調方式とコーディングレートとを指示する。すなわち、ＱＰＳＫであるか、１６ＱＡＭであるか、６４ＱＡＭであるかあるいは２５６ＱＡＭであるかという情報と共に、ＴＢＳ及びチャネルコーディング情報を知らせることができるコーディングレート値を指示することができる。
【００４９】
−ＣＢＧ伝送情報（codeblock group transmission information）：ＣＢＧ再伝送が設定されたとき、どのＣＢＧが伝送されるかということに係わる情報を指示する。
【００５０】
−ＨＡＲＱプロセス番号（ＨＡＲＱ process number）：ＨＡＲＱのプロセス番号を指示する。
【００５１】
−新たなデータ指示子（new data indicator）：ＨＡＲＱ初期伝送であるか、または再伝送であるかということを指示する。
【００５２】
−重複バージョン（redundancy version）：ＨＡＲＱの重複バージョンを指示する。
【００５３】
−ＰＵＣＣＨ（physical uplink control channel）のための伝送電力制御命令（ＴＰＣ（transmit power control） command）for ＰＵＣＣＨ：上向きリンク制御チャネルであるＰＵＣＣＨに対する伝送電力制御命令を指示する。
【００５４】
ＰＵＳＣＨ伝送の場合、時間領域資源割り当て（time domain resource assignment）は、ＰＵＳＣＨが伝送されるスロットに係わる情報、及び当該スロットにおける開始シンボル位置Ｓと、ＰＵＳＣＨがマッピングされるシンボル個数とＬによっても伝達される。ここで、Ｓは、スロット開始からの相対的な位置でもあり、Ｌは、連続されたシンボル個数でもあり、ＳとＬは、下記のように定義される開始及び長さ指示子値（ＳＬＩＶ：start and length indicator value）からも決定される。
【００５５】
【数５】
2021523636.tif 000008
【００５６】
ＮＲシステムにおいては、一般的に、ＲＲＣ設定を介し、１行に、ＳＬＩＶ値、ＰＵＳＣＨマッピングタイプ、及びＰＵＳＣＨが伝送されるスロットに係わる情報が含まれた表を設定されうる。その後、ＤＣＩの時間領域資源割り当てにおいては、設定された表におけるindex値を指示することにより、基地局が端末に、ＳＬＩＶ値、ＰＵＳＣＨマッピングタイプ、ＰＵＳＣＨが伝送されるスロットに係わる情報を伝達することができる。
【００５７】
ＮＲシステムにおいて、ＰＵＳＣＨマッピングタイプは、タイプＡ（type Ａ）とタイプＢ（type Ｂ）とが定義されうる。ＰＵＳＣＨマッピングタイプＡは、スロットにおいて、２番目または３番目のＯＦＤＭシンボルに、ＤＭＲＳシンボルのうち最初シンボルが位置することができる。ＰＵＳＣＨマッピングタイプＢは、ＰＵＳＣＨ伝送で割り当てられた時間領域資源における最初ＯＦＤＭシンボルに、ＤＭＲＳシンボルのうち最初シンボルが位置することができる。
【００５８】
ＤＣＩは、チャネルコーディング及び変調過程を経て、下向きリンク物理制御チャネルであるＰＤＣＣＨ（physical downlink control channel）（または、制御情報、以下、混用して使用する）上で伝送されうる。
【００５９】
一般的に、ＤＣＩは、各端末に対して独立して、特定ＲＮＴＩ（radio network temporary identifier）（または、端末識別子）でスクランブルされ、ＣＲＣ（cyclic redundancy check）が追加され、チャネルコーディングされた後、それぞれ独立してＰＤＣＣＨに構成されても伝送される。ＰＤＣＣＨは、端末に設定された制御資源集合（ＣＯＲＥＳＥＴ：control resource set）でマッピングされても伝送される。
【００６０】
下向きリンクデータは、下向きリンクデータ伝送用物理チャネルであるＰＤＳＣＨ上においては伝送される。ＰＤＳＣＨは、制御チャネル伝送区間後からも伝送され、周波数領域における具体的なマッピング位置、変調方式などのスケジューリング情報は、ＰＤＣＣＨを介して伝送されるＤＣＩを基にも決定される。
【００６１】
ＤＣＩを構成する制御情報において、ＭＣＳを介し、基地局は、端末に伝送するＰＤＳＣＨに適用された変調方式と、伝送するデータの大きさ（ＴＢＳ：transport block size）とを通知することができる。一実施形態により、ＭＣＳは、５ビット、またはそれよりもさらに大きいか、あるいは小さいビットによっても構成される。ＴＢＳは、基地局が伝送するデータ（ＴＢ）にエラー訂正のためのチャネルコーディングが適用される以前の大きさに該当する。
【００６２】
本開示において、トランスポートブロック（ＴＢ）とは、ＭＡＣ（medium access control）ヘッダ、ＭＡＣ制御要素（ＣＥ：control element）、１個以上のＭＡＣ ＳＤＵ（service data unit）、パディング（padding）ビットを含んでもよい。他の例により、ＴＢは、ＭＡＣ階層において、物理階層（physical layer）に下げるデータ単位またはＭＡＣ ＰＤＵ（protocol data unit）を示すことができる。
【００６３】
ＮＲシステムにおいて支援する変調方式は、ＱＰＳＫ（quadrature phase shift keying）、１６ＱＡＭ（quadrature amplitude modulation）、６４ＱＡＭ及び２５６ＱＡＭであり、それぞれの変調オーダー（modulation order）（Ｑｍ）は、２、４、６、８に該当する。すなわち、ＱＰＳＫ変調の場合、シンボル当たり２ビット、１６ＱＡＭ変調の場合、シンボル当たり４ビット、６４ＱＡＭ変調の場合、シンボル当たり６ビットを伝送することができ、２５６ＱＡＭ変調の場合、シンボル当たり８ビットを伝送することができる。
【００６４】
図２及び図３は、５ＧシステムまたはＮＲシステムにおいて考慮されるサービスであるｅＭＢＢ用、ＵＲＬＬＣ用、ｍＭＴＣ用のデータが、周波数・時間資源に割り当てられた様子について説明するための図面である。
【００６５】
図２及び図３を介し、各システムにおいて、情報伝送のために、周波数資源及び時間資源が割り当てられた方式が確認されうる。
【００６６】
まず、図２は、全体システム周波数帯域２−００において、ｅＭＢＢ用、ＵＲＬＬＣ用、ｍＭＴＣ用のデータが割り当てられた様子を示す。ｅＭＢＢデータ２−０１とｍＭＴＣデータ２−０９とが特定周波数帯域において割り当てられて伝送されている最中、ＵＲＬＬＣデータ２−０３，２−０５，２−０７が発生し、ＵＲＬＬＣデータ２−０３，２−０５，２−０７の伝送が必要な場合、基地局または端末は、ｅＭＢＢデータ２−０１及びｍＭＴＣデータ２−０９がすでに割り当てられた部分を空けるか、伝送を行わず、ＵＲＬＬＣデータ２−０３，２−０５，２−０７を伝送することができる。前述のサービスのうちＵＲＬＬＣは、遅延時間を短縮させることが必要であるあめに、ｅＭＢＢデータ２−０１が割り当てられた資源の一部分に、ＵＲＬＬＣデータ２−０３，２−０５，２−０７が割り当てられても伝送される。ここで、ｅＭＢＢデータ２−０１が割り当てられた資源において、ＵＲＬＬＣデータ２−０３，２−０５，２−０７が追加して割り当てられて伝送される場合、重複される周波数・時間資源においては、ｅＭＢＢデータが伝送されず、従って、ｅＭＢＢデータの伝送性能が低くなりうるということは、言うまでもない。すなわち、そのような場合、ＵＲＬＬＣデータの割り当てによるｅＭＢＢデータ伝送失敗が発生しうる。
【００６７】
図３においては、全体システム周波数帯域３−００を分け、各サブバンド３−０２，３−０４，３−０６において、サービス及びデータを伝送する方法について説明することにする。サブバンド設定と係わる情報は、あらかじめ決定されてもおり、その情報は、基地局が端末に、上位シグナリングを介して伝送することができる。他の例により、サブバンドと係わる情報は、基地局またはネットワークノードが任意に分け、端末に別途のサブバンド設定情報の伝送なしに、サービスを提供することもできる。図３において、サブバンド３−０２は、ｅＭＢＢデータ３−０８伝送、サブバンド３−０４は、ＵＲＬＬＣデータ３−１０，３−１２，３−１４伝送、サブバンド３−０６は、ｍＭＴＣデータ３−１６伝送に使用されると仮定する。
【００６８】
本実施形態全般において、ＵＲＬＬＣデータ伝送に使用される伝送時間区間（ＴＴＩ：transmission time interval）の長さは、ｅＭＢＢデータ伝送またはｍＭＴＣデータ伝送に使用されるＴＴＩ長よりも短い。また、ＵＲＬＬＣデータと係わる情報の応答は、ｅＭＢＢデータまたはｍＭＴＣデータより迅速にも伝送され、それにより、低い遅延で情報が送受信されうる。前述の３種のサービスまたはデータを伝送するために、各タイプ別に使用する物理階層チャネルの構造は、異なりもする。例えば、伝送時間区間（ＴＴＩ）の長さ、周波数資源の割り当て単位、制御チャネルの構造、及びデータのマッピング方法のうち少なくとも一つが異なりうる。
【００６９】
前述の実施形態においては、３種のサービスと３種のデータとを仮定して説明を行ったが、さらに多種のサービスと、それに該当するデータとが存在し、その場合にも、本開示の内容が適用されうる。
【００７０】
本開示で提案する方法及びその装置について説明するために、ＮＲシステムにおける物理チャネル（physical channel）及び信号（signal）という用語が使用されうる。しかし、本開示の内容は、ＮＲシステムだけではなく、他の無線通信システムにも適用される。
【００７１】
図４は、一実施形態による、１つのトランスポートブロックが、いくつかのコードブロックに分けられ、ＣＲＣが追加される過程について説明するための図面である。
【００７２】
図４を参照すれば、上向きリンクまたは下向きリンクにおいて伝送する１つのトランスポートブロック（ＴＢ）４−０１は、最後または最前部に、ＣＲＣ ４−０３が追加される。ＣＲＣ ４−０３は、１６ビット、２４ビット、またはあらかじめ固定されたビット数を有するか、あるいはチャネル状況などによって可変的なビット数を有することができ、チャネルコーディングの成功いかんの判断に使用されうる。ＴＢ ４−０１とＣＲＣ ４−０３とが追加されたブロックは、いくつかのコードブロック（ＣＢ）４−０７，４−０９，４−１１，４−１３にも分けられる（４−０５）。ここで、コードブロックは、最大サイズがあらかじめ定められて分けられ、その場合、最後のコードブロック４−１３は、他のコードブロック４−０７，４−０９，４−１１より大きさが小さくもある。ただし、それは一例であるのみ、他の例により、０、ランダム値、または１が最後のコードブロック４−１３に挿入されることにより、最後のコードブロック４−１３と異なるコードブロック４−０７，４−０９，４−１１の長さが同一にもそろえられる。コードブロック４−０７，４−０９，４−１１，４−１３に、それぞれＣＲＣ４−１７，４−１９，４−２１，４−２３が追加されうる（４−１５）。ＣＲＣは、１６ビット、２４ビット、またはあらかじめ固定されたビット数を有することができ、チャネルコーディングの成功いかんの判断にも使用される。
【００７３】
ＣＲＣ ４−０３を生成するために、ＴＢ ４−０１と循環生成多項式（cyclic generator polynomial）とが使用され、該循環生成多項式は、多様な方法によっても定義される。例えば、２４ビットＣＲＣのための循環生成多項式ｇＣＲＣ２４Ａ（Ｄ）＝Ｄ２４＋Ｄ２３＋Ｄ１８＋Ｄ１７＋Ｄ１４＋Ｄ１１＋Ｄ１０＋Ｄ７＋Ｄ６＋Ｄ５＋Ｄ４＋Ｄ３＋Ｄ＋１と仮定し、Ｌ＝２４とするとき、ＴＢデータ
【数６】
2021523636.tif 000009
に対し、ＣＲＣ
【数７】
2021523636.tif 000010
は、
【数８】
2021523636.tif 000011
をｇＣＲＣ２４Ａ（Ｄ）で除算し、余りが０になる値に、
【数９】
2021523636.tif 000012
を決定することができる。前述の例においては、一例として、ＣＲＣ長Ｌを２４に仮定して説明したが、ＣＲＣ長Ｌは１２、１６、２４、３２、４０、４８、６４のように、さまざまな長さにも決定される。
【００７４】
そのような過程でＴＢにＣＲＣが追加された後、Ｎ個のＣＢ ４−０７，４−０９，４−１１，４−１３にも分割される。分割されたそれぞれのＣＢ ４−０７，４−０９，４−１１，４−１３に、ＣＲＣ ４−１７，４−１９，４−２１，４−２３が追加されうる（４−１５）。ＣＢに追加されるＣＲＣは、ＴＢに追加されたＣＲＣを発生するときとは異なる長さを有するか、あるいは他の循環生成多項式が使用されうる。しかし、ＴＢに追加されたＣＲＣ ４−０３と、コードブロックに追加されたＣＲＣ ４−１７，４−１９，４−２１，４−２３は、コードブロックに適用されるチャネルコードの種類によっても省略される。例えば、ターボコードではなく、ＬＤＰＣコードがコードブロックに適用される場合、コードブロックごとに挿入されるＣＲＣ ４−１７，４−１９，４−２１，４−２３は、省略されうる。
【００７５】
しかし、ＬＤＰＣが適用される場合にも、ＣＲＣ ４−１７，４−１９，４−２１，４−２３は、そのままコードブロックにも追加される。また、ポーラコードが使用される場合にも、ＣＲＣが追加されうるか、あるいは省略されうる。
【００７６】
図４で説明したように、伝送するＴＢは、適用されるチャネルコーディングの種類により、１コードブロックの最大長が定められ、コードブロックの最大長により、ＴＢ、及びＴＢに追加されるＣＲＣは、コードブロックにおける分割が行われうる。
【００７７】
従来、ＬＴＥシステムにおいては、分割されたＣＢにＣＢ用ＣＲＣが追加され、ＣＢのデータビット及びＣＲＣは、チャネルコードにエンコーディングされ、コーディングされたビット（coded bits）が決定され、それぞれのコーディングされたビットについてあらかじめ約束されているようにレートマッチングされるビット数が決定されうる。
【００７８】
図５は、一実施形態により、アウターコードが使用されて伝送される方式について説明するための図面である。また、図６は、一実施形態により、アウターコードが使用された通信システムの構造について説明するためのブロック図である。
【００７９】
図５及び図６を参照すれば、アウターコードを使用して信号を伝送する方法について説明する。
【００８０】
図５においては、１つのトランスポートブロックがいくつかのコードブロックに分けられた後、各コードブロックにおいて、同じ位置にあるビットまたはシンボル５−０４同士第２チャネルコードでエンコーディングされ、パリティビットまたはシンボル５−０６が生成されうる（５−０２）。その後、各コードブロックと、第２チャネルコードエンコーディングで生成されたパリティコードブロックとにそれぞれＣＲＣが追加されうる（５−０８、５−１０）。
【００８１】
ＣＲＣは、チャネルコードの種類により、追加いかんが決定されうる。例えば、ターボコードが第１チャネルコードとして使用される場合には、ＣＲＣ５−０８，５−１０が追加されるが、その後には、第１チャネルコードエンコーディングで、それぞれのコードブロック及びパリティコードブロックがエンコーディングされうる。本開示において、第１チャネルコードとしては、コンボリューショナル（convolutional）コード、ＬＤＰＣコード、ターボ（turbo）コード及びポーラコードなどが使用されうる。しかし、それらは、一例であるのみ、多様なチャネルコードが、第１チャネルコードとして、本開示にも適用される。本開示において、第２チャネルコードとしては、例えば、リード・ソロモン（Reed-solomon）コード、ＢＣＨコード、ラプタ（Raptor）コード、パリティビット生成コードなどが使用されうる。しかし、それらは、一例であるのみ、多様なチャネルコードが、第２チャネルコードとして本開示にも適用される。
【００８２】
図６（ａ）を参照すれば、アウターコードが使用されない場合、第１チャネルコーディングエンコーダ６−０１及び第１チャネルコーディングデコーダ６−０５のみ送受信機においてそれぞれ使用され、第２チャネルコーディングエンコーダと第２チャネルコーディングデコーダは、使用されないのである。アウターコードが使用されない場合にも、第１チャネルコーディングエンコーダ６−０１と第１チャネルコーディングデコーダ６−０５は、後述するアウターコードが使用された場合と同一にも構成される。
【００８３】
図６（ｂ）を参照すれば、アウターコードが使用される場合、送信するデータは、第２チャネルコーディングエンコーダ６−０９を通過することができる。第２チャネルコーディングエンコーダ６−０９を通過したビットまたはシンボルは、第１チャネルコーディングエンコーダ６−１１を通過することができる。チャネルコーディングされたシンボルが、チャネル６−１３を通過して受信機に受信されれば、受信機側においては、受信した信号を基に、第１チャネルコーディングデコーダ６−１５と第２チャネルコーディングデコーダ６−１７とを順次に動作させることができる。第１チャネルコーディングデコーダ６−１５及び第２チャネルコーディングデコーダ６−１７は、それぞれ、第１チャネルコーディングエンコーダ６−１１及び第２チャネルコーディングエンコーダ６−０９と対応する動作を遂行することができる。
【００８４】
図７は、一実施形態により、１つのトランスポートブロックから分割されたいくつかのコードブロックに、第２チャネルコードまたはアウターコードを適用し、１以上のパリティコードブロックを生成する方法について説明するための図面である。
【００８５】
図４で説明したように、１つのトランスポートブロックは、１以上のコードブロックにも分割される。そのとき、トランスポートブロックサイズにより、コードブロックが一つだけ生成される場合には、当該コードブロックに、ＣＲＣが加えられないのである。伝送するコードブロックに、アウターコードを適用すれば、パリティコードブロック７−４０，７−４２が生成されうる（７−２４）。アウターコードを使用するとき、パリティコードブロック７−４０，７−４２は、最後のコードブロック後に位置することができる（７−２４）。アウターコード後、ＣＲＣ ７−２６，７−２８，７−３０，７−３２，７−３４，７−３６が追加されうる（７−３８）。その後、各コードブロック及び各パリティコードブロックは、ＣＲＣと共に、チャネルコードでエンコーディングされうる。
【００８６】
ＮＲシステムにおいて、ＴＢの大きさは、下記の段階を経ても計算される。
【００８７】
段階１：割り当て資源内の１ＰＲＢにおいて、ＰＤＳＣＨマッピングに割り当てられたＲＥ数である
【数１０】
2021523636.tif 000013
を計算する。
【００８８】
【数１１】
2021523636.tif 000014
は、
【数１２】
2021523636.tif 000015
によっても計算される。ここで、
【数１３】
2021523636.tif 000016
は、１２であり、
【数１４】
2021523636.tif 000017
は、ＰＤＳＣＨに割り当てられたＯＦＤＭシンボル数を示すことができる。
【数１５】
2021523636.tif 000018
は、同じＣＤＭグループのＤＭＲＳが占める、１ＰＲＢ内のＲＥ数である。
【数１６】
2021523636.tif 000019
は、上位シグナリングに設定される１ＰＲＢ内のオーバーヘッドが占めるＲＥ数であり、０、６、１２、１８のうち一つにも設定される。その後、ＰＤＳＣＨに割り当てられた総ＲＥ数ＮＲＥが計算されうる。ＮＲＥは、
【数１７】
2021523636.tif 000020
によって計算され、ｎＰＲＢは、端末に割り当てられたＰＲＢ数を示す。
【００８９】
段階２：臨時情報ビット数Ｎｉｎｆｏは、
【数１８】
2021523636.tif 000021
によっても計算される。ここで、Ｒは、コードレートであり、Ｑｍは、変調オーダー（modulation order）であり、その値の情報は、制御情報において、ＭＣＳビットフィールドと、あらかじめ約束された表とを利用しても伝達される。また、νは、割り当てられたレイヤ数である。もしＮｉｎｆｏ≦３８２４であり、下記の段階３を介し、ＴＢＳが計算されうる。それ以外には、段階４を介し、ＴＢＳが計算されうる。
【００９０】
段階３：
【数１９】
2021523636.tif 000022
と
【数２０】
2021523636.tif 000023
との数式を介し、
【数２１】
2021523636.tif 000024
が計算されうる。ＴＢＳは、下記［表２］において、
【数２２】
2021523636.tif 000025
より小さくない値のうち
【数２３】
2021523636.tif 000026
に最も近い値にも決定される。
【００９１】
【表２】
2021523636.tif 000027
【００９２】
段階４：
【数２４】
2021523636.tif 000028
と
【数２５】
2021523636.tif 000029
との数式を介し、
【数２６】
2021523636.tif 000030
が計算されうる。ＴＢＳは、
【数２７】
2021523636.tif 000031
値と下記［pseudｏ−code １］とを介しても決定される。
【００９３】
【数２８】
2021523636.tif 000032
【００９４】
ＮＲシステムにおいて、１つのＣＢがＬＤＰＣエンコーダに入力されれば、パリティビットが追加されて出力されうる。そのとき、ＬＤＣＰベースグラフ（ＬＤＣＰ base graph）により、パリティビットの量が異なりうる。特定入力に対し、ＬＤＰＣコーディングによって生成される全てのパリティビットを送らせる方法をＦＢＲＭ（full buffer rate matching）と言うことができ、伝送可能なパリティビット数に制限を置く方法を、ＬＢＲＭ（limited buffer rate matching）と言うことができる。データ伝送のために資源が割り当てられれば、ＬＤＰＣエンコーダ出力が、循環バッファ（circular buffer）に作られ、作られたバッファのビットは、割り当てられた資源ほど反復して伝送され、そのとき、循環バッファの長さを、Ｎｃｂと言うことができる。ＬＤＰＣコーディングによって生成される全てのパリティビットの数をＮとすれば、ＦＢＲＭ方法においては、Ｎｃｂ＝Ｎになる。ＬＢＲＭ方法において、Ｎｃｂは、ｍｉｎ（Ｎ, Ｎｒｅｆ）になり、Ｎｒｅｆは、
【数２９】
2021523636.tif 000033
で与えられ、ＲＬＢＲＭは、２／３にも決定される。ＴＢＳＬＢＲＭは、前述のＴＢＳを求める方法において、当該セルにおいて、端末が支援する最大レイヤ数を示し、当該セルにおいて、端末に設定された最大変調オーダー、または設定されていない場合には、６４ＱＡＭを仮定し、コードレートは、最大コードレートである９４８／１０２４を仮定し、ＮＲＥは、１５６・ｎＰＲＢと仮定し、ｎＰＲＢは、ｎＰＲＢ，ＬＢＲＭで仮定することができる。ｎＰＲＢ，ＬＢＲＭは、下記の［表３］としても与えられる。
【００９５】
【表３】
2021523636.tif 000034
【００９６】
ＮＲシステムにおいて、端末が支援する最大データ率は、下記の［数式１］を介しても決定される。
【００９７】
【数３０】
2021523636.tif 000035
【００９８】
数式１において、Ｊは、周波数集積（carrier aggregation）にまとめられたキャリアの数であり、Ｒｍａｘ＝９４８／１０２４であり、
【数３１】
2021523636.tif 000036
は、最大レイヤ数、
【数３２】
2021523636.tif 000037
は、最大変調オーダー、ｆ（ｊ）は、スケーリング指数、μは、副搬送波間隔を意味する。ｆ（ｊ）は、１、０．８、０．７５、０．４のうち１つの値を、端末が報告することができ、μは、下記の表４によっても与えられる。
【００９９】
【表４】
2021523636.tif 000038
【０１００】
また、
【数３３】
2021523636.tif 000039
は、平均ＯＦＤＭシンボル長であり、
【数３４】
2021523636.tif 000040
は、
【数３５】
2021523636.tif 000041
によっても計算され、
【数３６】
2021523636.tif 000042
は、ＢＷ（ｊ）において、最大ＲＢ数である。ＯＨ（ｊ）は、オーバーヘッド値であり、ＦＲ１（６ＧＨｚ以下帯域）の下向きリンクにおいては、０．１４、上向きリンクにおいては、０．１８としても与えられ、ＦＲ２（６ＧＨｚ超過帯域）の下向きリンクにおいては、０．０８、上向きリンクにおいては、０．１０としても与えられる。［数式１］を介し、３０ｋＨｚ副搬送波間隔において、１００ＭＨｚ周波数帯域幅を有するセルにおける下向きリンクにおける最大データ率は、下記の［表５］によっても計算される。
【０１０１】
【表５】
2021523636.tif 000043
【０１０２】
一方、端末が、実際データ伝送において測定されうる実際データ率は、データ量をデータ伝送時間で除した値にもなるのである。それは、１ＴＢ伝送においては、ＴＢＳ、または２ ＴＢ伝送ではＴＢＳの和をＴＴＩ長で除した値にもなる。一例として、表５を求めた仮定のように、３０ｋＨｚ副搬送波間隔において、１００ＭＨｚ周波数帯域幅を有するセルにおける下向きリンクにおける最大実際データ率は、割り当てられたＰＤＳＣＨシンボル数により、下記の［表６］のようにも決定される。
【０１０３】
【表６】
2021523636.tif 000044
【０１０４】
［表５］を介し、端末が支援する最大データ率を確認して見ることができ、［表６］を介して割り当てられたＴＢＳによる実際データ率を確認して見ることができる。そのとき、スケジューリング情報により、最大データ率より実際データ率がさらに大きい場合がありもする。
【０１０５】
無線通信システム、特に、ＮＲシステムにおいては、端末が支援することができるデータ率が、基地局と端末との間で互いに約束されうる。それは、端末が支援する最大周波数帯域、最大変調オーダー、最大レイヤ数などを利用しても計算される。しかし、計算されたデータ率は、実際データ伝送に使用される伝送ブロック（ＴＢ）の大きさ（ＴＢＳ：transport block size）及びＴＴＩ長から計算される値と異なりうる。
【０１０６】
それにより、端末は自体が支援するデータ率に該当する値より大きいＴＢＳを割り当てられる場合が生じうる。そのような場合を最小化させ、前述の場合の端末動作を定義することが必要にもなる。以下の実施形態においては、最大データ率と実際データ率とが合わない場合を解決するための方法及びその装置を提供する。
【０１０７】
以下、本開示の実施形態について、添付した図面と共に詳細に説明する。また、本開示についての説明において、関連する機能または構成に係わる具体的な説明が、本開示の要旨を必要以上に曖昧にしうると判断された場合、その詳細な説明は、省略する。そして、後述される用語は、本発明における機能を考慮して定義された用語であり、それは、ユーザ、運用者の意図または慣例などによっても異なる。従って、その定義は、本明細書全般にわたる内容を基になされなければならないのである。以下、基地局は、端末の資源割り当てを行う主体であり、ｇNode Ｂ（ｇＮＢ）、ｅNodeＢ（ｅＮＢ）、NodeＢ、ＢＳ、無線接続ユニット、基地局制御器、またはネットワーク上のノードのうち少なくとも一つでもある。端末は、ＵＥ、ＭＳ、セルラーフォン、スマートフォン、コンピュータ、または通信機能を遂行することができるマルチメディアシステムを含んでもよい。本発明において、下向きリンク（ＤＬ）は、基地局が端末に伝送する信号の無線送信経路であり、上向きリンク（ＵＬ）は、端末が基地局に伝送する信号の無線送信経路を意味する。また、以下において、ＮＲシステムを一例とし、本開示の実施形態について説明するが、類似の技術的背景またはチャネル形態を有するそれ以外の通信システムにも、本開示の実施形態が適用されうる。また、本開示の実施形態は、熟練された技術的知識を有した者の判断でもって、本開示の範囲を大きく外れない範囲において一部変形を介し、他の通信システムにも適用されうる。
【０１０８】
本開示においては、従来の物理チャネル及び信号という用語を、データまたは制御信号と混用して使用することができる。例えば、ＰＤＳＣＨは、データが伝送される物理チャネルであるが、本開示においては、ＰＤＳＣＨをデータであると言うことができる。
【０１０９】
以下、本開示において、上位シグナリングは、基地局から、物理階層の下向きリンクデータチャネルを利用して端末に、または端末から、物理階層の上向きリンクデータチャネルを利用して基地局に伝達する信号伝達方法であり、ＲＲＣ signalingまたはＭＡＣ制御要素（ＣＥ）とも言及される。
【０１１０】
本開示においては、peak data rate、max data rate、最大データ率などが混用されても使用される。
【０１１１】
＊［第１実施形態］
【０１１２】
第１実施形態は、peak data rateを超えることになるスケジューリングを判断する方法、及びpeak data rateを超えて伝送されたとき、端末の動作方法及びその装置に係わるものである。それについて、図８を参照して後述する。
【０１１３】
端末は、スケジューリング情報が含まれた下向きリンク制御情報を受信し、スケジューリング情報を把握することができ、その後、下記の方法で、実際データ率を計算することができる。端末は、スケジューリング情報から送受信しなければならないデータの量またはＴＢＳ値を知ることができ、また、ＰＤＳＣＨまたはＰＵＳＣＨがマッピングされるシンボルの数を把握することができる。
【０１１４】
方法１：スケジューリングされたＰＤＳＣＨまたはＰＵＳＣＨのＴＢＳ、またはＴＢＳの和を実際伝送時間で除することにより、実際データ伝送のデータ率を計算することができる。
【０１１５】
方法２：スケジューリングされたＰＤＳＣＨまたはＰＵＳＣＨのＴＢＳ、またはＴＢＳの和を、割り当てられたシンボル数と平均シンボル長
【数３７】
2021523636.tif 000045
との積で除し、実際データ伝送のデータ率を計算することができる。
【０１１６】
方法３：当該スロットで送信または受信しなければならないＰＤＳＣＨまたはＰＵＳＣＨに含まれた全てのＴＢサイズの和を求め、ＴＢサイズの和をスロット長で除し、スロットにおける実際データ率を計算することができる。
【０１１７】
基地局と端末は、前述の方法のうち一つ、または１以上が結合された方法でもって、実際データ率を計算することができ、実際データ率を、［数式１］で提供されたpeak data rate計算方法によって計算された端末が支援するデータ率と比較することができる。peak data rateは、［数式１］で提供される方法に限定されるものではなく、多様な方法によって変形されても適用される。
【０１１８】
該比較結果、実際データ率がpeak data rateより大きければ、下向きリンクスケジューリング及びＰＤＳＣＨ伝送において、端末はＰＤＳＣＨデコーディングを試みず、当該ＰＤＳＣＨのＨＡＲＱ−ＡＣＫフィードバックをＮＡＣＫで生成し、基地局に伝達することができる。また、該比較結果において、実際データ率がpeak data rateより大きければ、上向きリンクスケジューリング及びＰＵＳＣＨ伝送において、端末はＰＵＳＣＨを伝送しないのである。基地局は、特定端末にスケジューリングしたとき、ＮＡＣＫが連続して発生したとき、端末のcapabilityを新たに判断することができる。
【０１１９】
前述の方法１、方法２、方法３で言及されたＰＤＳＣＨは、当該端末にだけ伝送されるデータでもある。すなわち、前記ＰＤＳＣＨをスケジューリングする制御情報が、特定端末に固有値として伝達するＣ−ＲＮＴＩ値でもって、一部マスキングがＰＤＣＣＨで伝達する場合に制限されうる。すなわち、システム情報伝達用、ページング用、ランダムアクセス用に伝達されるＰＤＳＣＨは、前述の計算から除かれうる。または、他の方法としては、用途に係わりなく、全てのＰＤＳＣＨに含まれたデータビット数の和を利用して適用することも可能であろう。
【０１２０】
図８は、一実施形態による、端末のＰＤＳＣＨデコーディング及びＰＵＳＣＨ伝送いかんを判断する方法について説明するためのフローチャートである。
【０１２１】
基地局と端末は、ＰＤＳＣＨデコーディング及びＰＵＳＣＨ伝送いかんを決定するプロセスを始めることができる（８−０１）。
【０１２２】
基地局と端末は、端末がサポート可能なpeak data rateを計算し、特定データ伝送のためのスケジューリング情報を決定することができる（８−０２）。peak data rateは、［数式１］、または変形された方法を介しても計算される。
【０１２３】
基地局と端末は、スケジューリング情報から実際データ率を計算し、計算された実際データ率とpeak data rateとを比較することができる（８−０３）。
【０１２４】
もし実際データ率がpeak data rateを超える場合には、当該スケジューリング情報を無視することができる（８−０５）。ここで、当該スケジューリング情報を無視するということは、ＰＵＳＣＨ伝送において、端末は、スケジューリングされたＰＵＳＣＨを伝送しないということを意味する。または、端末は、一般的には、当該ＰＤＳＣＨのＨＡＲＱ−ＡＣＫフィードバックをＮＡＣＫに生成して基地局に伝達するが、例外の場合には、ＨＡＲＱ−ＡＣＫフィードバックを基地局に伝達しないのである。例外の場合は、フォールバックモードＤＣＩまたはＤＣＩフォーマット１＿０でスケジューリングされながら、ＤＡＩに１つのＰＤＳＣＨだけ伝送されたということを端末が指示された場合であるか、あるいはキャリア集積（carrier aggregation）が設定されず、１つのＰＤＳＣＨだけ伝送される場合でもある。また、例外の場合は、１つのＰＤＳＣＨに係わるＨＡＲＱ−ＡＣＫだけ伝送される場合でもある。
【０１２５】
また、比較（８−０３）結果、実際データ率がpeak data rateを超えない場合には、基地局と端末は、スケジューリング情報によるデータ送受信を行うことができる（８−０４）。
【０１２６】
前述の動作が遂行されることにより、ＰＤＳＣＨデコーディング及びＰＵＳＣＨ伝送いかんを決定するプロセスが終了するのである（８−０６）。
【０１２７】
前述のところで、ＴＢＳ和を求めるところにおいて受信されたＰＤＳＣＨのＴＢＳの和を求めることは、いくつかのＣＣに設定され、ＣＡを遂行する端末は、多くのＣＣにおいて、同時、同じスロット、あるいは同じ時点で受信されたＰＤＳＣＨの和を意味するものでもある。
【０１２８】
［第１−１実施形態］
【０１２９】
第１−１実施形態は、端末のpeak data rateを超えないように、基地局がスケジューリングする方法を提供する。
【０１３０】
端末は、自体のpeak data rateに係わる情報を基地局に報告する。それは、単位時間当たり、端末がプロセシングすることができるデータの量を意味すると見ることができる。従って、基地局は、特定端末に、当該端末のpeak data rateを超すほどのデータを１回に伝送しないであろう。基地局が、端末のスケジューリングいかん及びスケジューリング方法を決定するにおいて、そのようなことを判断する方法が必要である。
【０１３１】
基地局は、端末に、特定周波数帯域だけのチャネルを測定して報告するように、設定及び指示することができる。それは、subband ＣＱＩ（channel quality indicator）でもあり、それを活用し、基地局は、端末にsubband ＣＱＩを基準に周波数帯域を割り当てることができる。
【０１３２】
基地局は、端末から報告されたsubband ＣＱＩ、または他のチャネル測定結果を受信する。基地局は、報告を受けた結果を基に、チャネル利得が高い順にサブバンドあるいはＲＢを整列させる。チャネル利得が高い順にＲＢを整列するという意味は、ＲＢ indexを、subband ＣＱＩが高いものから整列させるという意味でもある。
【０１３３】
基地局は、端末に、整列されたＲＢ index、またはsubband ＣＱＩが高いＲＢから、当該端末にスケジューリングを行う。基地局は、当該端末に、peak data rateが過ぎないほどまでＲＢを割り当て、それ以上は割り当てない。
【０１３４】
前述のところにおいて、当該端末に、peak data rateが過ぎないほどまでＲＢを割り当てる方法を下記で説明する。
【０１３５】
基地局は、特定端末に、スケジューリングする設定を基に、ＭＣＳ index（または、ＭＣＳ indexに該当するcoding rate）と、ＰＲＢ割り当てによるＴＢＳ値、あるいはそれによる実際data rateとをあらかじめ計算することができ、前記ＴＢＳ値を保存しておくことができる。
【０１３６】
【表７】
2021523636.tif 000046
【０１３７】
前記表は、ＭＣＳ index、及び割り当てられたＰＲＢ数によって決定されうるＴＢＳの大きさによって決定されるdata rate値を、Ｍｂｐｓ単位で表示した表である。前記一例は、４個のレイヤ、２５６ＱＡＭ、及び１４シンボル割り当てで伝送する場合でもある。もし端末のpeak data rate値が８６６．７Ｍｂｐｓであるとするならば、前記表において、濃く着色されたところは、端末のpeak data rateより高いdata rateに該当するＴＢＳでスケジューリングされる領域になる。従って、基地局は、端末のpeak data rateより高くなるＭＣＳ indexとＲＢ数との組み合わせは使用せずにスケジューリングしなければならない。その実行のために、基地局は、前記表のような値を保存するか、スケジューリング不可能な組み合わせを保存するか、あるいは特定ＭＣＳで割り当てることができる最大ＰＲＢ数を保存することができる。それは、例えば、下記のような表で提供されうる。
【０１３８】
【表８】
2021523636.tif 000047
【０１３９】
前記表は、ＭＣＳ index、及びpeak data rateで端末が報告したscaling factorであるｆ値により、特定設定において端末に割り当てられる最大ＰＲＢ数を記録した表である。前記特定設定は、変わりうるので、関連スケジューリング設定が変わるたびに、基地局は、当該端末に割り当てることができるＰＲＢ数を新たに計算することができるであろう。
【０１４０】
［第１−２実施形態］
【０１４１】
第１−２実施形態は、peak data rateを超えることになるスケジューリングを判断する方法、及びpeak data rateを超えて伝送されたとき、端末の動作方法及びその装置の他の一例に係わるものである。
【０１４２】
端末は、スケジューリング情報が含まれた下向きリンク制御情報を受信し、スケジューリング情報を把握することができ、それにより、下記の方法で、実際データ率を計算することができる。端末は、スケジューリング情報から送受信しなければならないデータの量、またはＴＢＳ値を知ることができ、またＰＤＳＣＨまたはＰＵＳＣＨがマッピングされるシンボルの数を把握することができる。それにより、実際データ伝送のデータ率は、現在伝送されているＰＤＳＣＨあるいはＰＵＳＣＨに実際に含まれるコードブロックの大きさの和を、実際伝送時間で除することによって得ることができるであろう。それは、コードブロックグループ（ＣＢＧ：code block group）単位で再伝送が行われうることを考慮したものでもある。すなわち、下向きリンクの場合、端末が、特定単位のＣＣ（component carrier）のグループに含まれたＣＣにおいて、特定時点で伝送されるＰＤＳＣＨに含まれたコードブロックをいずれも考慮し、実際データ率を計算するものである。上向きリンクの場合には、端末が、特定単位のＣＣのグループに含まれたＣＣにおいて、特定時点で伝送されるＰＵＳＣＨに含まれたコードブロックをいずれも考慮し、実際データ率を計算するものである。前述のところにおいて、特定時点で伝送されるＰＤＳＣＨとは、特定時点を含むＯＦＤＭシンボルにマッピングされるＰＤＳＣＨを示すものでもある。下向きリンクデータ伝送において、実際データ率は、下記数式１−１によっても計算される。
【０１４３】
【数３８】
2021523636.tif 000048
【０１４４】
【数３９】
2021523636.tif 000049
は、ｊ番目ＰＤＳＣＨで伝送されるＤＬ−ＳＣＨのコードブロック個数を意味する（number of code blocks for ＤＬ−ＳＣＨ of the ＰＤＳＣＨ transmission）
【０１４５】
−ｊ番目ＰＤＳＣＨをスケジューリングするＤＣＩに、ＣＢＧＴＩ（code block group transmission information）情報が含まれており、前記ＣＢＧＴＩ情報がｒ番目コードブロックが伝送されないと指示するならば、
【数４０】
2021523636.tif 000050
であり、それ以外の場合には、
【数４１】
2021523636.tif 000051
は、ｊ番目ＰＤＳＣＨで伝送されるＤＬ−ＳＣＨのｒ番目コードブロックの大きさとも定義される（if the DCI format scheduling the PDSCH transmission includes a CBGTI field indicating that the UE shall not transmit the r-th code block,
【数４２】
2021523636.tif 000052
otherwirse,
【数４３】
2021523636.tif 000053
is the r-th code block size for DL-SCH of the j-th PDSCH transmission）
【０１４６】
【数４４】
2021523636.tif 000054
は、ｊ番目ＰＤＳＣＨがマッピングされたシンボルの平均シンボル長とも定義され、一般的に、cyclic prefixを考慮して計算された値でもある（average OFDM symbol duration for numerology μ（ｊ）of the j-th PDSCH, i.e.
【数４５】
2021523636.tif 000055
Note that normal cyclic prefix is assumed）
【０１４７】
【数４６】
2021523636.tif 000056
は、１スロット内において、ｊ番目ＰＤＳＣＨがマッピングされたり、ｊ番目ＰＤＳＣＨ伝送のために割り当てられたりするＯＦＤＭシンボル個数でもある（the number of symbols of the j-th PDSCH allocation within the slot）
【０１４８】
−Ｊは、特定サービングセル、またはＣＣのまとまり単位において、特定時点で伝送されるＰＤＳＣＨの個数を意味する。
【０１４９】
前記数式１−１で計算された実際データ率と、前記数式１を利用して計算された端末の最大下向きリンクデータ率とを比較し、該比較結果、実際データ率がpeak data rateより高ければ、下向きリンクスケジューリング及びＰＤＳＣＨ伝送において端末は、ＰＤＳＣＨデコーディングを試みず、当該ＰＤＳＣＨのＨＡＲＱ−ＡＣＫフィードバックをＮＡＣＫに生成し、基地局に伝達することができる。基地局は、特定端末にスケジューリングしたとき、ＮＡＣＫが連続して発生するとき、端末のcapabilityを新たに判断することができる。
【０１５０】
前記数式１−１で言及されたＰＤＳＣＨは、当該端末にだけ伝送されるデータでもある。すなわち、前記ＰＤＳＣＨをスケジューリングする制御情報が、特定端末に固有値として伝達されるＣ−ＲＮＴＩ値でもって、一部マスキングがＰＤＣＣＨで伝達される場合にも制限される。すなわち、システム情報伝達用、ページング用、ランダムアクセス用に伝達されるＰＤＳＣＨは、前記の計算から除かれうる。または、他の方法としては、用途に係わりなく、全てのＰＤＳＣＨに含まれたデータビット数の和を利用して適用することも可能であろう。
【０１５１】
上向きリンクデータ伝送において、実際データ率は、下記数式１−２によっても計算される。
【０１５２】
【数４７】
2021523636.tif 000057
【０１５３】
【数４８】
2021523636.tif 000058
は、ｊ番目ＰＵＳＣＨで伝送されるＵＬ−ＳＣＨのコードブロック個数を意味する（number of code blocks for UL-SCH of the PUSCH transmission）
【０１５４】
−ｊ番目ＰＵＳＣＨをスケジューリングするＤＣＩに、ＣＢＧＴＩ（codeblock group transmission information）情報が含まれており、前記ＣＢＧＴＩ情報がｒ番目コードブロックが伝送されないと指示するならば、
【数４９】
2021523636.tif 000059
であり、それ以外の場合には、
【数５０】
2021523636.tif 000060
は、ｊ番目ＰＵＳＣＨで伝送されるＵＬ−ＳＣＨのｒ番目コードブロックの大きさとも定義される（if the DCI format scheduling the PUSCH transmission includes a CBGTI field indicating that the UE shall not transmit the r-th code block,
【数５１】
2021523636.tif 000061
otherwise,
【数５２】
2021523636.tif 000062
is the r-th code block size for UL-SCH of the j-th PUSCH transmission）
【０１５５】
【数５３】
2021523636.tif 000063
は、ｊ番目ＰＵＳＣＨがマッピングされたシンボルの平均シンボル長とも定義され、一般的に、cyclic prefixを考慮して計算された値でもある（average OFDM symbol duration for numerology μ（ｊ）of the j-th PUSCH, i.e.
【数５４】
2021523636.tif 000064
Note that normal cyclic prefix is assumed）
【０１５６】
【数５５】
2021523636.tif 000065
は、１スロット内において、ｊ番目ＰＵＳＣＨがマッピングされるか、あるいはｊ番目ＰＵＳＣＨ伝送のために割り当てられたＯＦＤＭシンボル数でもある（the number of symbols of the j-th PUSCH allocation within the slot）
【０１５７】
−Ｊは、特定サービングセル、またはＣＣのまとまり単位において、特定時点で伝送されるＰＵＳＣＨの個数を意味する。
【０１５８】
前記数式１−２で計算された実際データ率と、前記数式１を利用して計算された端末の最大上向きリンクデータ率とを比較し、該比較結果、実際データ率がpeak data rateより高ければ、上向きリンクスケジューリング及びＰＵＳＣＨ伝送において端末は、ＰＵＳＣＨを伝送しないのである。
【０１５９】
［第１−３実施形態］
【０１６０】
第１−３実施形態においては、前記第１実施形態における方法３（当該スロットで送信または受信しなければならないＰＤＳＣＨまたはＰＵＳＣＨに含まれた全てのＴＢの大きさの和を求め、ＴＢサイズの和をスロット長で除し、スロットにおける実際データ率を計算することができる）の具体的な方法を提供する。
【０１６１】
前記実施形態においては、スケジューリングするＴＢの大きさが、端末が支援する最大伝送率に該当する値を超えないようにする方法を提供した。しかし、前記数式１−１あるいは前記数式１−２を利用する方法を使用したときには、ＴＢ単位再伝送時、初期伝送に使用したシンボル数より少数のＯＦＤＭシンボルを利用して再伝送することが不可能でもある。例えば、３０ｋＨｚ副搬送波間隙と２７３ ＰＲＢとを利用したデータ伝送において、最大ＭＣＳ及び１４Ｏ ＦＤＭシンボルを利用する場合、端末の最大伝送率（peak data rateあるいはｍａｘdata rate）は、２，２９５Ｍｂｐｓにもなり、それにより、最大スケジュール可能なＴＢＳは、１，１４７，４８８ビットになる。もし前述のようなＴＢＳを有する初期伝送が失敗した場合、再伝送において、もし１３シンボルだけ利用して伝送するならば、ＰＤＳＣＨあるいはＰＵＳＣＨの長さが１３シンボルになるので、当該データの伝送率は、端末の最大伝送率より高くもなる。従って、実質的に前述の場合において、１３シンボルを利用した再伝送は、不可能である。従って、代わりに、当該スロットで伝送されるＰＤＳＣＨあるいはＰＵＳＣＨに含まれたＴＢＳの和をスロット長で除し、端末の最大伝送率と比較する方法が望ましい。
【０１６２】
特定時点（基準時点（reference time））における端末の実際平均伝送率は、当該時点を含むスロットでスケジューリングされたＰＤＳＣＨあるいはＰＵＳＣＨに含まれたＴＢあるいはＣＢの総ビット数の和を考慮して決定することができる。前述のところにおいて、特定時点を含むスロットは、図１１のようにも決定される。図１１は、端末において、上位シグナリングに設定されたキャリアにおいて、前記特定時点を含むスロットを決定する一例を図示した図面である。副搬送波間隔により、キャリアごとに、スロット長が異なり、表示されたスロットが、特定時点を含むスロットになる。特定時点が変わりながら、例えば、基準時点Ａから基準時点Ｂに、当該特定時点を含むスロットが、例えば、スロットＡ１，Ａ２，Ａ３からスロットＢ１，Ｂ２，Ｂ３にも変わる。図１１の一例において、スロットＡ１とスロットＢ１は、同じスロットであり、スロットＡ２とスロットＢ２は、同じスロットでもある。従って、例えば、基準時点Ａにおける端末の実際平均伝送率を計算するとき、前記当該特定時点である基準時点Ａを含むスロット（すなわち、スロットＡ１，Ａ２，Ａ３）にマッピングされて伝送されるＰＤＳＣＨあるいはＰＵＳＣＨだけ考慮し、前記ＰＤＳＣＨあるいはＰＵＳＣＨで伝送されるコードブロックを利用することができる。基準時点Ｄから基準時点Ｅに変わるときは、基準時点を含むスロットは、Ｄ１、Ｄ２、Ｄ３からＥ１、Ｅ２、Ｅ３に変わり、その場合は、基準時点を含むスロットがいずれも変わることになる。端末は、前述のところのように計算された実際伝送率が、数式１のように計算された自体の最大伝送率より低くスケジューリングされた場合にだけ、ＰＤＳＣＨ受信及びＰＵＳＣＨ送信のための動作を遂行することができ、もし自体の最大伝送率より、計算された実際伝送率がさらに高い場合、当該スロットにおけるＰＤＳＣＨ受信及びＰＵＳＣＨ送信の動作を省略することができる。本実施形態において、基準時点を含むスロットは、オーバーラップされたスロットとすることができる。
【０１６３】
前記方法は、下記のようにさらに実行されうる。
【０１６４】
ＵＥは、全ての時点において、次の条件を満足させない重畳されたＰＤＳＣＨ／ＰＵＳＣＨ伝送を処理する必要がない、ここで、セルグループ内の与えられたキャリアに係わる特定時点を含むスロットに含まれた全てのＰＤＳＣＨ／ＰＵＳＣＨが考慮され、特定時点を含むスロットは、オーバーラッピングされたスロットとも説明される：（A UE is not required to handle overlapped PDSCH/PUSCH transmissions not fulfilling the following condition at all points in time, where all PDSCH/PUSCH contained in the slot including the certain point in time for a given carrier in a cell group is considered, where the slot including the certain point in time is named the overlapped slot）
【０１６５】
【数５６】
2021523636.tif 000066
【０１６６】
【数５７】
2021523636.tif 000067
は、セルグループにおいて、ｊ番目キャリアのオーバーラッピングされたスロット内のｍ番目ＰＤＳＣＨ／ＰＵＳＣＨにおいて、伝送ブロックのスケジューリングされたコードブロックの個数を示す（
【数５８】
2021523636.tif 000068
is the number of scheduled code blocks of the transport block in the m-th PDSCH/PUSCH in the overlapped slot of the j-th carrier in the cell group）
【０１６７】
−Ｊは、セルグループを構成するキャリアの数を示す（J is the number of configured carriers in the cell group）
【０１６８】
【数５９】
2021523636.tif 000069
は、セルグループにおいて、ｊ番目キャリアのオーバーラッピングされたスロット内のｍ番目ＰＤＳＣＨ／ＰＵＳＣＨのコードブロック内のビットの個数を示す（
【数６０】
2021523636.tif 000070
is the number of  bits in a code block of the m-th PDSCH/PUSCH in the overlapped slot of the j-th carrier in the cell group）
【０１６９】
−スロット長
【数６１】
2021523636.tif 000071
において、ｍ（ｊ）は、セルグループ内のｊ番目キャリアのスロットに係わるヌメロロジーを示す（Slot duration
【数６２】
2021523636.tif 000072
where m(j) is the numerology for a slot of the j-th carrier in the cell group）
【０１７０】
DataRateは、ＣＧ単位別周波数範囲別に適用される［３ＧＰＰ ＴＳ ３８．３０６］におけるサブクローズ４．１．２によって与えられる大略的なデータレートによって計算される（DataRate is computed by the approximate date rate given by Subcluase 4.1.2 in [3GPP TS 38.306] based on applying per frequency range per CG only）
【０１７１】
すなわち、前述のところにおいて、
【数６３】
2021523636.tif 000073
は、特定セルグループのｊ番目キャリアにおいてオーバーラップされたスロットでスケジューリングされたＰＤＳＣＨあるいはＰＵＳＣＨに含まれてスケジュールされたコードブロックの数であり、
【数６４】
2021523636.tif 000074
は、特定セルグループのｊ番目キャリアでオーバーラップされたスロットでスケジューリングされたｍ番目ＰＤＳＣＨあるいはＰＵＳＣＨに含まれてスケジュールされたコードブロックの大きさであり、
【数６５】
2021523636.tif 000075
は、スロット長であり、特定セルグループのｊ番目キャリアにおいて、ｍ（ｊ）の副搬送波間隔を有するときのスロット長である。ｍ（ｊ）が０であるならば、１５ｋＨｚ副搬送波間隔、ｍ（ｊ）が１であるならば、３０ｋＨｚ副搬送波間隔、ｍ（ｊ）が２であるならば、６０ｋＨｚ副搬送波間隔、ｍ（ｊ）が３であるならば、１２０ｋＨｚ副搬送波間隔を意味する。DateRateは、前記数式１で提供する方法で決定されるか、あるいは３ＧＰＰ標準ＴＳ ３８．３０６で提供する端末の最大伝送率を決定する方法によっても計算される。Ｊは、当該セルグループにおいて、端末に設定されたキャリア数である。
【０１７２】
［第２実施形態］
【０１７３】
第２実施形態においては、［数式１］の代わりに、peak data rateを計算する方法を提供する。
【０１７４】
まず、ＴＢＳｍａｘは、１スロットで伝送することができる最大ＴＢＳとも定義される。そのために、前述のＴＢＳを求める方法において、当該セルにおいて、端末が支援する最大レイヤ数、当該セルにおいて、端末に設定された最大変調オーダーが適用され、コードレートは、最大コードレートである９４８／１０２４を仮定し、ｎＰＲＢは、当該周波数帯域において、ＰＲＢ数、ＮＲＥ＝１５６・ｎＰＲＢ、ＮＲＥ＝１５８・ｎＰＲＢまたはＮＲＥ＝１６０・ｎＰＲＢとも決定される。ＮＲＥは、ｎＰＲＢの倍数に多様に変形されても適用される。
【０１７５】
端末が特定セルにおいて、２個のコードワード（codeword）、または２個のＴＢ伝送を設定された場合には、それぞれＴＢについて、ＴＢＳｍａｘ，１とＴＢＳｍａｘ，２とを定義することができる。端末が、ＴＢＳｍａｘ，１とＴＢＳｍａｘ，２とを求めるときには、それぞれのＴＢに使用することができる最大レイヤ数を仮定し、前述のところにおけるＴＢＳｍａｘのような方法で計算することができる。
【数６６】
2021523636.tif 000076
をｊ番目設定されたセルにおいて、ｉ番目ＴＢの最大ＴＢＳとするとき、peak data rateは、下記［数式２］を介しても計算されるのである。
【０１７６】
【数６７】
2021523636.tif 000077
【０１７７】
数式２においてμは、副搬送波間隔が、１５ｋＨｚ、３０ｋＨｚ、６０ｋＨｚ、１２０ｋＨｚ、２４０ｋＨｚであるとき、それぞれ０、１、２、３、４によっても与えられる。
【０１７８】
本開示の実施形態を遂行するための、端末と基地局との送信部、受信部、処理部が、それぞれ図９と図１０とに図示されている。第１実施形態または第２実施形態における実際データ率を計算し、送受信方法を遂行するために、基地局と端末との受信部、処理部、送信部が、それぞれ前述の実施形態によって動作することができる。
【０１７９】
図９は、一実施形態による端末のブロック図である。
【０１８０】
図９に図示されているように、本開示の端末は、端末機受信部９−００、端末機送信部９−０４及び端末機処理部９−０２を含んでもよい。端末機受信部９−００と端末機と送信部９−０４とを総称し、本開示においては、送受信部とも称することができる。該送受信部は、基地局と信号を送受信することができる。ここで、該信号は、制御情報とデータとを含んでもよい。そのために、該送受信部は、送信される信号の周波数を上昇変換及び増幅するＲＦ送信機と、受信される信号を低ノイズ増幅し、周波数を下降変換するＲＦ受信機とによっても構成される。
【０１８１】
また、該送受信部は、無線チャネルを介して信号を受信し、端末機処理部９−０２に出力し、端末機処理部９−０２から出力された信号を、無線チャネルを介して伝送することができる。端末機処理部９−０２は、前述の本開示の実施形態により、端末が動作するように、一連の過程を制御することができる。例えば、端末機受信部９−００は、基地局から、データ伝送のためのスケジューリング情報が含まれた制御情報とデータとを受信し、端末機処理部９−０２は、端末のpeak data rateと、スケジューリングされたデータ量とを比較してデコーディング及び伝送のいかんを決定し、それにより、信号処理を行うことができる。その後、端末機送信部９−０４から伝送する必要がある信号を基地局に伝達することができる。
【０１８２】
図１０は、一実施形態による基地局のブロック図である。
【０１８３】
図１０に図示されているように、本開示の基地局は、基地局受信部１０−０１、基地局送信部１０−０５及び基地局処理部１０−０３を含んでもよい。基地局受信部１０−０１と基地局送信部１０−０５とを総称し、本開示においては、送受信部と称することができる。該送受信部は、端末と信号を送受信することができる。ここで、該信号は、制御情報とデータとを含んでもよい。そのために、該送受信部は送信される信号の周波数を上昇変換及び増幅するＲＦ送信機と、受信される信号を低ノイズ増幅し、周波数を下降変換するＲＦ受信機とによっても構成される。また、該送受信部は、無線チャネルを介して信号を受信し、基地局処理部１０−０３に出力し、基地局処理部１０−０３から出力された信号を無線チャネルを介して伝送することができる。
【０１８４】
基地局処理部１０−０３は、前述の本開示の実施形態によって基地局が動作するように、一連の過程を制御することができる。例えば、基地局処理部１０−０３は、端末のpeak data rateを計算し、peak data rateを超えない範囲でＴＢＳを決定してスケジューリングを行い、制御情報を生成することができる。
【０１８５】
その後、基地局送信部１０−０５で生成された制御情報を送信し、基地局受信部１０−０１は、端末のフィードバックまたは上向きリンクデータ信号を受信することができる。
【０１８６】
なお、本明細書と図面とに開示された本発明の実施形態は、本発明の記述内容を容易に説明し、本発明の理解の一助とするために、特定例を提示したものであるのみ、本発明の範囲を限定するものではない。すなわち、本発明の技術的思想を基とする他の変形例が実施可能であるということは、本発明が属する技術分野で当業者に自明なものである。また、前述のそれぞれの実施形態は、必要により、互いに組み合わされて運用することができる。例えば、第１実施形態と第２実施形態とが結合されて適用されることが可能であり、または、第１実施形態の一部分と第２実施形態の一部分とが組み合わされて適用されることが可能であろう。また、前記実施形態は、ＬＴＥシステム、５Ｇシステムなどに、前記実施形態の技術的思想を基とする他の変形例が実施可能であろう。
【符号の説明】
【０１８７】
9-00  端末機受信部
9-02  端末機処理部
9-04  端末機送信部
10-01  基地局受信部
10-03  基地局処理部
10-05  基地局送信部
【図１】
2021523636.tif 000078
【図２】
2021523636.tif 000079
【図３】
2021523636.tif 000080
【図４】
2021523636.tif 000081
【図５】
2021523636.tif 000082
【図６】
2021523636.tif 000083
【図７】
2021523636.tif 000084
【図８】
2021523636.tif 000085
【図９】
2021523636.tif 000086
【図１０】
2021523636.tif 000087
【図１１】
2021523636.tif 000088
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
端末が信号を送受信する方法において、
基地局からＰＤＳＣＨ（physical downlink shared channel）を介して受信されるデータに係わるダウンリンク制御情報を受信する段階と、
前記ダウンリンク制御情報を基に、スロットに割り当てられたＴＢ（transport block）の個数を決定する段階と、
前記スロットに割り当てられたＴＢの個数を基に、前記端末のデータ率を決定する段階と、
前記端末の最大データ率及び前記決定されたデータ率の比較結果に基づき、前記ＰＤＳＣＨの処理いかんを決定する段階と、を含む、方法。
【請求項２】
前記ＰＤＳＣＨの処理いかんを決定する段階は、
前記決定されたデータ率が、前記最大データ率を超える場合、前記端末の前記ＰＤＳＣＨの処理が必要ではないと決定する、請求項１に記載の方法。
【請求項３】
前記データ率は、
前記端末のサービングセルそれぞれに対してオーバーラッピングされるスロットに割り当てられたＴＢ個数を基に決定される、請求項１に記載の方法。
【請求項４】
基地局が信号を送受信する方法において、
端末から受信されたケイパビリティ情報を基に、前記端末の最大データ率を決定する段階と、
前記端末のスロットに割り当てられるＴＢの個数を基に、前記端末のデータ率を決定する段階と、
前記最大データ率及び前記データ率の比較結果に基づき、ＰＤＳＣＨ上でデータを伝送する段階と、を含み、
前記端末の前記ＰＤＳＣＨの処理いかんは、前記最大データ率及び前記データ率の比較結果を基に前記端末において決定される、方法。
【請求項５】
前記決定されたデータ率が前記最大データ率を超える場合、前記端末の前記ＰＤＳＣＨの処理が必要ではないと決定される、請求項４に記載の方法。
【請求項６】
前記データ率は、
前記端末のサービングセルそれぞれに対してオーバーラッピングされるスロットに割り当てられたＴＢ個数を基に決定される、請求項４に記載の方法。
【請求項７】
前記端末のデータ率を決定する段階は、
あらかじめ保存されたＴＢサイズ別に、データ率に係わる情報を基に、特定ＴＢサイズに対応するデータ率を決定する段階を含む、請求項４に記載の方法。
【請求項８】
信号を送受信する端末において、
送受信部と、
少なくとも１つのプロセッサと、を含み、
前記少なくとも１つのプロセッサは、
基地局からＰＤＳＣＨ（physical downlink shared channel）を介して受信されるデータに係わるダウンリンク制御情報を受信するように前記送受信部を制御し、
前記ダウンリンク制御情報を基に、スロットに割り当てられたＴＢ（transport block）の個数を決定し、
前記スロットに割り当てられたＴＢの個数を基に、前記端末のデータ率を決定し、
前記端末の最大データ率及び前記決定されたデータ率の比較結果に基づき、前記ＰＤＳＣＨの処理いかんを決定する、端末。
【請求項９】
前記少なくとも１つのプロセッサは、
前記決定されたデータ率が前記最大データ率を超える場合、前記端末の前記ＰＤＳＣＨの処理が必要ではないと決定する、請求項８に記載の端末。
【請求項１０】
前記データ率は、
前記端末のサービングセルそれぞれに対してオーバーラッピングされるスロットに割り当てられたＴＢ個数を基に決定される、請求項８に記載の端末。
【請求項１１】
信号を送受信する基地局において、
送受信部と、
少なくとも１つのプロセッサと、を含み、
前記少なくとも１つのプロセッサは、
端末から受信されたケイパビリティ情報を基に、前記端末の最大データ率を決定し、
前記端末のスロットに割り当てられるＴＢの個数を基に、前記端末のデータ率を決定し、
前記最大データ率及び前記データ率の比較結果に基づき、ＰＤＳＣＨ（physical downlink shared channel）上でデータを伝送するように前記送受信部を制御し、
前記端末の前記ＰＤＳＣＨの処理いかんは、前記最大データ率及び前記データ率の比較結果を基に前記端末において決定される、基地局。
【請求項１２】
前記決定されたデータ率が前記最大データ率を超える場合、前記端末の前記ＰＤＳＣＨの処理が必要ではないと決定される、請求項１１に記載の基地局。
【請求項１３】
前記データ率は、
前記端末のサービングセルそれぞれに対してオーバーラッピングされるスロットに割り当てられたＴＢ個数を基に決定される、請求項１１に記載の基地局。
【請求項１４】
前記少なくとも１つのプロセッサは、
あらかじめ保存されたＴＢ（transport block）サイズ別に、データ率に係わる情報を基に、特定ＴＢサイズに対応するデータ率を決定する、請求項１１に記載の基地局。
【請求項１５】
請求項１に記載の方法を遂行するコンピュータプログラムを記録したコンピュータで読み取り可能な記録媒体。
【国際調査報告】
2021523636.tif 000089
2021523636.tif 000090
2021523636.tif 000091
2021523636.tif 000092